(57)【要約】【課題】  首を伸ばすストレッチ効果が得られる椅子式施療装置を提供する。【解決手段】  座部１１と、背凭れ部１２と、この背凭れ部１２に設けられ且つ首を両側から挟み込む一対の揉み玉４３Ａ,４３Ｂとを備えた椅子式施療装置であって、一対の揉み玉４３Ａ,４３Ｂで首を挟んだ後、この首を挟んだ状態のまま施療昇降ユニット３０を上方へ移動させる。【選択図】  図２
2005198747.tif 000002
【特許請求の範囲】
【請求項１】
座部と、背凭れ部と、この背凭れ部に設けられ且つ首を両側から挟み込む一対の施療子とを備えた椅子式施療装置であって、
前記一対の施療子で首を挟んだ後、この首を挟んだ状態のまま一対の施療子を上方へ移動させることを特徴とする椅子式施療装置。
【請求項２】
前記施療子は回動動作によって首を挟み込むことを特徴とする請求項１に記載の椅子式施療装置。
【請求項３】
前記一対の施療子を上方へ移動させる移動手段は空気の給排気によって膨縮するエアバッグであることを特徴とする請求項１または請求項２に記載の椅子式施療装置。
【発明の詳細な説明】
【技術分野】
【０００１】
この発明は、首を施療する一対の施療子を背凭れ部に設けた椅子式施療装置に関する。
【背景技術】
【０００２】
従来から、背凭れ部に一対の施療指を設けた椅子式のマッサージ装置が知られている（特許文献１参照）。
【０００３】
かかるマッサージ装置は、座部と背凭れ部とを備え、背凭れ部には肩や背中をマッサージする一対の施療指が設けられている。この施療指は揺動することによって肩や背中をマッサージするものであり、ガイドレールに沿って上下動可能となっている。
【特許文献１】特開平９−３１３５６１号公報
【発明の開示】
【発明が解決しようとする課題】
【０００４】
しかしながら、このような椅子式のマッサージ装置にあっては、施療指が揺動して肩や背中のマッサージを行うものであるから、首を上に引っ張て首を伸ばすことはできない。
【０００５】
この発明の目的は、首を十分に伸ばすことができる椅子式施療装置を提供することにある。
【課題を解決するための手段】
【０００６】
請求項１の発明は、座部と、背凭れ部と、この背凭れ部に設けられ且つ首を両側から挟み込む一対の施療手段とを備えた椅子式施療装置であって、
前記一対の施療手段で首を挟んだ後、この首を挟んだ状態のまま一対の施療子を上方へ移動させることを特徴とする。
【発明の効果】
【０００７】
この発明によれば、一対の施療子で首を挟んだ後、この首を挟んだ状態のまま一対の施療子を上方へ移動させるものであるから、首または首筋を十分に伸ばすことができる。
【発明を実施するための最良の形態】
【０００８】
以下、この発明に係る椅子式の施療装置（マッサージ装置）の実施例を図面に基づいて説明する。
【実施例】
【０００９】
図１に示す椅子式の施療装置１０は、座部１１と、この座部１１の後ろに設けたリクライニングが可能な背凭れ部１２と、座部１１の前に設けたオットマン２０と、座部１１の両側に設けたアームレスト部１４,１５と、後述するエアバッグ（施療手段）Ａ１〜Ａ１３を膨縮させる給排気装置７０と、施療（マッサージ）モードの設定やその他各種の操作を行うリモートコントロール装置１００等とを備えている。
【００１０】
座部１１には、臀部用のエアバッグＡ８と腿用のエアバッグＡ９とが設けられている。
【００１１】
オットマン２０は上部に回動支点を有し、この回動支点を中心にして回動しオットマン２０が上方へ回動するようになっている。オットマン２０には、脚部を入れる凹部２１,２１が形成され、この凹部２１,２１の両側壁部にエアバッグＡ１０ａ〜Ａ１０ｄが設けられており、エアバッグＡ１０ａ〜Ａ１０ｄの膨縮により脹ら脛のマッサージ、すなわち施療を行うようになっている。
【００１２】
背凭れ部１２には、図２に示すように、下側に設けたボード１６と、上下方向に移動する施療昇降ユニット３０と、この施療昇降ユニット３０を上下動させる上下駆動機構５０（図３参照）が設けられている。
【００１３】
ボード１６は背凭れ部１２のフレーム１７,１７（図３参照）に取り付けられている。このボード１６の前面には、上下方向に延びた背筋を押圧するエアバッグＡ１と、肩甲骨を押圧するエアバッグＡ２,Ａ３と、背中を押圧するエアバッグＡ４,Ａ５と、腰を押圧するエアバッグＡ６,Ａ７とが設けられている。
【００１４】
施療昇降ユニット３０は、図３に示すように、フレーム１７,１７に沿って上下動する昇降盤３１と、この昇降盤３１の前面に取り付けられた一対の施療子ユニット４０Ａ,４０Ｂ（図４参照）とを有している。昇降盤３１の両側部にはガイド筒部３５,３５が設けられており、このガイド筒部３５,３５のガイド孔３５Ａ,３５Ａに背凭れ部１２のフレーム１７,１７が貫装され、ガイド筒部３５,３５がフレーム１７,１７に沿って上下動自在となっている。
【００１５】
施療子ユニット４０Ａは、図４および図５に示すように、昇降盤３１に回転自在に取り付けられた回転ベース４１Ａと、この回転ベース４１Ａの前面に配設された回動板４２Ａと、この回動板４２Ａに取り付けられた揉み玉（施療子）４３Ａと、回転ベース４１Ａと回動板４２Ａとの間に配設されたエアバッグＡ１１ａ等とを有している。
【００１６】
回転ベース４１Ａには回転軸４４Ａが取り付けられており、この回転軸４４Ａが昇降盤３１に回転自在に装着され、この回転軸４４Ａが回転することにより回転ベース４１Ａが回転軸４４Ａとともに回転するようになっている。
【００１７】
回動板４２Ａの一端はヒンジ４５Ａを介して回転ベース４１Ａに取り付けられており、回動板４２ＡはエアバッグＡ１１ａの膨縮により図５に示す矢印方向に回動するようになっている。
【００１８】
施療子ユニット４０Ｂは、施療子ユニット４０Ａと同様な構成となっているのでその説明は省略する。
【００１９】
そして、施療子ユニット４０Ａの回転軸４４Ａと施療子ユニット４０Ｂの回転軸４４Ｂとは図示しないギア機構を介して駆動モータＭ（図７参照）の駆動軸（図示せず）に連結されている。駆動モータＭは昇降盤３１に取り付けられており、この駆動モータＭの正転により図６に示すように施療子ユニット４０Ａ,４０Ｂが矢印Ｂ１方向に回転し、駆動モータＭの逆回転により施療子ユニット４０Ａ,４０Ｂが矢印Ｂ２方向に回転していくようになっている。
【００２０】
また、図３に示すように昇降盤３１の下部にはＵ字形の取付片３２が固定され、この取付片３２の下部には相対向した一対の支持板３３,３３が取り付けられており、この支持板３３,３３間には軸３４が設けられている。
【００２１】
上下駆動機構５０は、図３に示すように、ボード１６の裏面側に配置されており、蛇腹状に形成された４つのエアバッグ５１Ａ,５１Ｂ,５２Ａ,５２Ｂと、エアバッグ５１Ａ,５１Ｂ,５２Ａ,５２Ｂの膨縮によって上下動する移動板５３と、この移動板５３と昇降盤３１とを連結する上下方向に延びたロッド５８等とを有している。
【００２２】
図３において、５４はフレーム１７,１７の中間位置に固定された取付板、５５はフレーム１７,１７の下部に固定されたベース板であり、エアバッグ５１Ａ,５１Ｂは移動板５３と取付板５４との間に配置され、エアバッグ５２Ａ,５２Ｂは移動板５３とベース板５５との間に配置されている。そして、エアバッグ５１Ａ,５１Ｂが膨張してエアバッグ５２Ａ,５２Ｂが収縮すると移動板５３は下降し、エアバッグ５１Ａ,５１Ｂが収縮してエアバッグ５２Ａ,５２Ｂが膨張すると移動板５３は上昇していくようになっている。
【００２３】
また、移動板５３には相対向した一対の支持板５６,５６が設けられており、この支持板５６,５６間には軸５７が取り付けられている。この軸５７にはロッド５８の下部が軸支され、ロッド５８の上部が昇降盤３１の軸３４に軸支されており、移動板５３の上下動によって昇降盤３１が上下動するようになっている。
【００２４】
給排気装置７０は、図７に示すように、エアーを給気するためのポンプ７１と、エアバッグＡ１〜Ａ９,Ａ１０ａ〜Ａ１０ｄ,Ａ１１ａ,Ａ１１ｂ,５１Ａ〜５２Ｂを膨縮させるための電磁弁Ｅ１〜Ｅ１３と、各電磁弁Ｅ１〜Ｅ１３とポンプ７１と駆動モータＭ等を制御する制御装置７２等とを備えている。
【００２５】
そして、各電磁弁Ｅ１〜Ｅ１０は三方弁であり、各電磁弁Ｅ１〜Ｅ１０の弁が第１位置に切り換わるとエアバッグＡ１〜Ａ９,Ａ１０ａ〜Ａ１０ｄ,Ａ１１ａ,Ａ１１ｂ,５１Ａ〜５２Ｂとポンプ７１とが連通して各エアバッグＡ１〜Ａ９,Ａ１０ａ〜Ａ１０ｄ,Ａ１１ａ,Ａ１１ｂ,５１Ａ〜５２Ｂが膨張し、第２位置に切り換わるとその連通路が閉成されて各エアバッグＡ１〜Ａ９,Ａ１０ａ〜Ａ１０ｄ,Ａ１１ａ,Ａ１１ｂ,５１Ａ〜５２Ｂが膨張した状態に維持され、第３位置に切り換わると各エアバッグＡ１〜Ａ９,Ａ１０ａ〜Ａ１０ｄ,Ａ１１ａ,Ａ１１ｂ,５１Ａ〜５２Ｂは外気に連通されて排気が行われる。この排気により各エアバッグＡ１〜Ａ９,Ａ１０ａ〜Ａ１０ｄ,Ａ１１ａ,Ａ１１ｂ,５１Ａ〜５２Ｂは収縮していく。
［動  作］
次に、上記のように構成される椅子式の施療装置１０の動作を説明する。なお、エアバッグ５１Ａ,５１Ｂのみが膨張され、他のエアバッグＡ１〜Ａ９,Ａ１０ａ〜Ａ１０ｄ,５２Ａ,５２Ｂは収縮しており、昇降盤３１は図３に示すように下降した位置に位置している。そして、電磁弁Ｅ１〜Ｅ１１′,Ｅ１３は第３位置に切り換わっており、電磁弁Ｅ１２のみが第２位置に切り換わっている。また、施療子ユニット４０Ａ,４０Ｂは図６の実線で示す位置に位置している。
【００２６】
リモコン装置１００を操作して例えば首・肩施療モード（首・肩マッサージモード）を設定し、スタートスイッチ（図示せず）を押すと、ポンプ７１が駆動されるとともに電磁弁Ｅ１１,Ｅ１１′が制御装置７２により制御されていく。
【００２７】
すなわち、電磁弁Ｅ１１,Ｅ１１′が第１位置に切り換えられてエアバッグＡ１１ａ,Ａ１１ｂが膨張されていく。このエアバッグＡ１１ａ,Ａ１１ｂの膨張により、回動板４２Ａ,４２Ｂが図８に示すようにヒンジ４５Ａ,４５Ｂを支点にして矢印方向に回動していき、この回動により揉み玉４３Ａ,４３Ｂが肩を押圧していく。
【００２８】
エアバッグＡ１１ａ,Ａ１１ｂが所定時間膨張されると、電磁弁Ｅ１１,Ｅ１１′が第２位置に切り換えられてそのエアバッグＡ１１ａ,Ａ１１ｂの膨張が維持される。すなわち、揉み玉４３Ａ,４３Ｂが肩を押圧した状態に維持される。
【００２９】
そして、モータＭが正転駆動されて回転ベース４１Ａ,４１Ｂが図６の矢印Ｂ１に示す方向に回動していく。この回転ベース４１Ａ,４１Ｂの回動により、揉み玉４３Ａ,４３Ｂが肩から首筋に沿って移動していくことになり、肩・首の施療が行われる。
【００３０】
回転ベース４１Ａ,４１Ｂが所定角度、例えば図６の鎖線位置まで回動すると、モータＭが逆転駆動されて回転ベース４１Ａ,４１Ｂが鎖線位置から図６の矢印Ｂ２に示す方向に回動していく。この回転ベース４１Ａ,４１Ｂの回動により、揉み玉４３Ａ,４３Ｂが首から肩に沿って移動していくことになり、肩・首の施療が行われる。そして、これら動作が数回繰り返し行われるとモータＭおよびポンプ７１の駆動が停止されるとともに電磁弁Ｅ１１,Ｅ１１′が第３位置に切り換えられて、エアバッグＡ１１ａ,Ａ１１ｂが収縮されて首・肩の施療が終了する。
＜首ストレッチモード＞
リモコン装置１００を操作して首ストレッチモードを設定し、スタートスイッチを操作すると、ポンプ７１が駆動されるとともに電磁弁Ｅ１１,Ｅ１１′が制御装置７２により第１位置に切り換えられてエアバッグＡ１１ａ,Ａ１１ｂが膨張されていく。このエアバッグＡ１１ａ,Ａ１１ｂの膨張により、回動板４２Ａ,４２Ｂが図８に示すようにヒンジ４５Ａ,４５Ｂを支点にして矢印方向に回動していき、この回動により揉み玉４３Ａ,４３Ｂが肩を押圧していく。
【００３１】
エアバッグＡ１１ａ,Ａ１１ｂが所定時間膨張されると、電磁弁Ｅ１１,Ｅ１１′が第２位置に切り換えられてそのエアバッグＡ１１ａ,Ａ１１ｂの膨張が維持される。そして、モータＭが正転駆動されて回転ベース４１Ａ,４１Ｂが図６の矢印Ｂ１に示す方向に回動していく。この回転ベース４１Ａ,４１Ｂの回動により、揉み玉４３Ａ,４３Ｂが肩から首筋に沿って移動していく。
揉み玉４３Ａ,４３Ｂが図９に示す位置に移動すると、モータＭの駆動が停止される。この揉み玉４３Ａ,４３Ｂによって後頭部の下側であって且つ首の後ろ側が挟持される状態となる。
【００３２】
そして、電磁弁Ｅ１２が第３位置に切り換えられてエアバッグ５１Ａ,５１Ｂが外気に開放されて収縮される。一方、電磁弁Ｅ１３が第１位置に切り換えられてエアバッグ５２Ａ,５２Ｂが膨張されていく。このエアバッグ５２Ａ,５２Ｂの膨張およびエアバッグ５１Ａ,５１Ｂの収縮により移動板５３が上昇していく。
【００３３】
この移動板５３が上昇するとロッド５８を介して施療昇降ユニット３０が図３に示す位置から上にフレーム１７,１７に沿って上昇していく。すなわち、施療昇降ユニット３０が図９の鎖線に示す位置から矢印方向へ上昇していく。
【００３４】
この施療昇降ユニット３０の上昇により、揉み玉４３Ａ,４３Ｂが首を押圧した状態で上に引っ張り上げることになる。これにより、首が伸ばされて首のストレッチが行われる。このストレッチにより耳の後ろ側にある天柱や風池や完骨等のツボを刺激するので、首のコリを改善することができる。
【００３５】
また、エアバッグ５２Ａ,５２Ｂの膨張によって首を上方へ伸ばしているので、揉み玉４３Ａ,４３Ｂによる首への当たりがソフトなものとなる。また、回転ベース４１Ａ,４１Ｂを回動させて首を挟持するようにしているので、回転ベース４１Ａ,４１Ｂの回動により肩から首の施療（マッサージ）を行なった後にスムーズに首のストレッチに移行することができる。
【００３６】
他の施療（マッサージ）モードが設定された場合には、各モードに対応した電磁弁Ｅ１〜Ｅ９,Ｅ１０,Ｅ１０′がそれぞれ制御されて各エアバッグＡ１〜Ａ９,Ａ１０ａ〜Ａ１０ｄが膨縮され、これら各エアバッグＡ１〜Ａ９,Ａ１０ａ〜Ａ１０ｄの膨縮により人体の各部の施療が行われる。
【図面の簡単な説明】
【００３７】
【図１】この発明に係る椅子式の施療装置の外観を示した斜視図である。
【図２】背凭れ部のカバーを外した施療装置の斜視図である。
【図３】背凭れ部に設けた上下駆動機構の構成を示した説明図である。
【図４】図１に示す施療装置の施療昇降ユニットを示した正面図である。
【図５】図４の施療昇降ユニットの構成を示した断面図である。
【図６】図５に示す施療昇降ユニットの施療子ユニットの動きを示した説明図である。
【図７】給排気装置の構成を示したブロック図である。
【図８】施療子ユニットの回動板の回動方向を示した説明図である。
【図９】揉み玉による首の引っ張り方向を示した説明図である。
【符号の説明】
【００３８】
１１            座部
１２            背凭れ部
３０            施療昇降ユニット
４３Ａ          揉み玉（施療子）
４３Ｂ          揉み玉（施療子）
【図１】
2005198747.tif 000003
【図２】
2005198747.tif 000004
【図３】
2005198747.tif 000005
【図４】
2005198747.tif 000006
【図５】
2005198747.tif 000007
【図６】
2005198747.tif 000008
【図７】
2005198747.tif 000009
【図８】
2005198747.tif 000010
【図９】
2005198747.tif 000011